(57)【特許請求の範囲】
【請求項１】
吸込口（１１ａ，１１ｂ，１１ｄ）から吸い込んだ空気をフィルタ（１５）を介して吹出口（１１ｃ）から吹き出す空気清浄機本体（１）と、
清掃部材（３）を内部空間に収納可能にする清掃部材収納ボックス（２）と
を備え、
上記清掃部材収納ボックス（２）は、上記空気清浄機本体（１）に、取り付けられて、上記清掃部材収納ボックス（２）の上記内部空間と、上記空気清浄機本体（１）の上記吸込口の一部（１１ｄ）とは、連通し、
上記清掃部材収納ボックス（２）の上記内部空間には、取り出し可能なダストボックス（４０，４０Ａ）が取り付けられ、このダストボックス（４０，４０Ａ）は、上記清掃部材（３）から離脱した塵埃を捕集する塵埃捕集機構（４１，４２ｄ）を有し、
上記ダストボックス（４０）は、
上記清掃部材収納ボックス（２）の上記内部空間に連通する入口（４２ａ）と、この入口（４２ａ）よりも上記空気清浄機本体（１）の上記吸込口の一部（１１ｄ）側に位置する出口（４２ｂ）とを有する箱本体（４２）と、
この箱本体（４２）の上記出口（４２ｂ）に取り付けられたプレフィルタ（４１）と
を備え、
上記塵埃捕集機構（４１）は、上記プレフィルタ（４１）を含むことを特徴とする空気清浄機ユニット。
【請求項２】
吸込口（１１ａ，１１ｂ，１１ｄ）から吸い込んだ空気をフィルタ（１５）を介して吹出口（１１ｃ）から吹き出す空気清浄機本体（１）と、
清掃部材（３）を内部空間に収納可能にする清掃部材収納ボックス（２）と
を備え、
上記清掃部材収納ボックス（２）は、上記空気清浄機本体（１）に、取り付けられて、上記清掃部材収納ボックス（２）の上記内部空間と、上記空気清浄機本体（１）の上記吸込口の一部（１１ｄ）とは、連通し、
上記清掃部材収納ボックス（２）の上記内部空間には、取り出し可能なダストボックス（４０，４０Ａ）が取り付けられ、このダストボックス（４０，４０Ａ）は、上記清掃部材（３）から離脱した塵埃を捕集する塵埃捕集機構（４１，４２ｄ）を有し、
上記ダストボックス（４０Ａ）は、
上記清掃部材収納ボックス（２）の上記内部空間に連通する入口（４２ａ）と、この入口（４２ａ）よりも上記空気清浄機本体（１）の上記吸込口の一部（１１ｄ）側に位置する出口（４２ｂ）とを有する箱本体（４２Ａ）を備え、
上記箱本体（４２Ａ）の底部には、上記出口（４２ｂ）よりも底面側に位置する塵埃溜まり部（４２ｄ）が設けられ、
上記塵埃捕集機構（４２ｄ）は、上記塵埃溜まり部（４２ｄ）を含むことを特徴とする空気清浄機ユニット。
【請求項３】
請求項１または２に記載の空気清浄機ユニットにおいて、
上記清掃部材収納ボックス（２）は、２つの取付部（２７，２７，６０，６０）を介して、上記空気清浄機本体（１）に取り付けられ、
上記清掃部材収納ボックス（２）は、上記内部空間に連通すると共に上記空気清浄機本体（１）の上記吸込口の一部（１１ｄ）に接続される接続口（２８）を有し、
この接続口（２８）は、上記２つの取付部（２７，２７，６０，６０）の間に、位置していることを特徴とする空気清浄機ユニット。
【請求項４】
請求項１から３の何れか一つに記載の空気清浄機ユニットにおいて、
上記清掃部材収納ボックス（２）は、上記空気清浄機本体（１）に、着脱可能に取り付けられていることを特徴とする空気清浄機ユニット。
【請求項５】
請求項４に記載の空気清浄機ユニットにおいて、
上記清掃部材収納ボックス（２）は、磁石（２７）を介して、上記空気清浄機本体（１）に着脱可能に取り付けられていることを特徴とする空気清浄機ユニット。
【請求項６】
請求項４に記載の空気清浄機ユニットにおいて、
上記清掃部材収納ボックス（２）は、係合機構（６０）を介して、上記空気清浄機本体（１）に着脱可能に取り付けられていることを特徴とする空気清浄機ユニット。
【発明の詳細な説明】
【技術分野】
【０００１】
この発明は、空気清浄機本体と清掃部材収納ボックスとを有する空気清浄機ユニットに関する。
【背景技術】
【０００２】
従来、清掃部材としてのモップの塵埃を除去する装置として、特開２００６−２１８４６１号公報（特許文献１）に開示されたものがある。この塵埃除去装置は、モップを収容してモップから塵埃を除去するケースを備えていた。そして、このケースを掃除機に取り付けることで、掃除機により、ケース内に溜まった塵埃を吸引していた。
【先行技術文献】
【特許文献】
【０００３】
【特許文献１】特開２００６−２１８４６１号公報
【発明の概要】
【発明が解決しようとする課題】
【０００４】
ところで、上記従来の塵埃除去装置の上記ケース内に溜まった塵埃を、上記掃除機にて吸引している最中、掃除機は、ケース内の塵埃を吸引することのみに使用され、同時に、モップ以外の室内の塵埃を吸引することができなかった。
【０００５】
つまり、上記掃除機に上記ケースを取り付けた状態では、常に、掃除機は、モップのみを吸引していた。一方、掃除機を本来の室内の掃除として使用する場合、必ず、掃除機からケースを取り外す必要があった。
【０００６】
このように、掃除機にケースを取り付けた場合、掃除機の室内の塵埃を除去するという本来の機能が失われていた。そもそも、従来では、掃除機にケースを取り付けた状態で、この掃除機を、通常の室内の清掃機能として使用するという思想がなかった。
【０００７】
また、上記従来の塵埃除去装置では、上記ケース内に溜まった塵埃を、掃除機によって、吸い込んでいたので、掃除機内のダスト回収パックが直ぐに一杯になっていた。また、ダスト回収パックでは、ダニや花粉などの小さな塵埃を回収することができず、掃除機の排気口からこの小さな塵埃が排出されていた。
【０００８】
そこで、この発明の課題は、清掃部材収納ボックスを空気清浄機本体に取り付けた状態で、空気清浄機本体の本来の機能は、損なわれることがなく、しかも、清掃部材収納ボックス内の空気中の塵埃を確実に除去でき、空気清浄機本体のフィルタの目詰まりを防止できる空気清浄機ユニットを提供することにある。
【課題を解決するための手段】
【０００９】
上記課題を解決するため、この発明の空気清浄機ユニットは、
吸込口から吸い込んだ空気をフィルタを介して吹出口から吹き出す空気清浄機本体と、
清掃部材を内部空間に収納可能にする清掃部材収納ボックスと
を備え、
上記清掃部材収納ボックスは、上記空気清浄機本体に、取り付けられて、上記清掃部材収納ボックスの上記内部空間と、上記空気清浄機本体の上記吸込口の一部とは、連通し、
上記清掃部材収納ボックスの上記内部空間には、取り出し可能なダストボックスが取り付けられ、このダストボックスは、上記清掃部材から離脱した塵埃を捕集する塵埃捕集機構を有し、
上記ダストボックスは、
上記清掃部材収納ボックスの上記内部空間に連通する入口と、この入口よりも上記空気清浄機本体の上記吸込口の一部側に位置する出口とを有する箱本体と、
この箱本体の上記出口に取り付けられたプレフィルタと
を備え、
上記塵埃捕集機構は、上記プレフィルタを含むことを特徴としている。
【００１０】
この発明の空気清浄機ユニットによれば、上記清掃部材収納ボックスは、上記空気清浄機本体に、取り付けられて、上記清掃部材収納ボックスの上記内部空間と、上記空気清浄機本体の上記吸込口の一部とは、連通している。これにより、空気清浄機本体に清掃部材収納ボックスを取り付けた状態で、空気清浄機本体は、その吸込口の一部から、清掃部材収納ボックスの内部空間の塵埃を吸引すると同時に、その吸引口の他部から、室内の空気を吸引することができる。このように、空気清浄機本体に清掃部材収納ボックスを取り付けても、空気清浄機本体の室内の空気を清浄するという本来の機能は、損なわれない。言い換えると、清掃部材収納ボックス内の塵埃を吸引させるために、空気清浄機本体による室内の空気の清浄を一旦止めなくてもよく、室内の空気の清浄を行ったまま、清掃部材収納ボックス内の塵埃を吸引できる。
【００１１】
また、上記清掃部材収納ボックスの上記内部空間には、取り出し可能なダストボックスが取り付けられ、このダストボックスは、上記清掃部材から離脱した塵埃を捕集する塵埃捕集機構を有する。これによって、清掃部材収納ボックス内の大きな塵埃を、ダストボックスにより、予め捕集してから、清掃部材収納ボックス内の小さな塵埃（ダニや花粉など）を、空気清浄機本体により、捕集する。そして、ダストボックス内に溜まった塵埃は、ダストボックスを取り出して、廃棄できる。
【００１２】
この結果、清掃部材収納ボックス内の空気中の塵埃を確実に除去できる。また、清掃部材収納ボックス内の大きな塵埃による、空気清浄機本体のフィルタの目詰まりを、防止できる。
【００１３】
したがって、清掃部材収納ボックスを空気清浄機本体に取り付けた状態で、空気清浄機本体の本来の機能は、損なわれることがなく、しかも、清掃部材収納ボックス内の空気中の塵埃を確実に除去でき、空気清浄機本体のフィルタの目詰まりを防止できる。
【００１４】
【００１５】
また、上記ダストボックスの上記箱本体は、入口と出口とを有するので、清掃部材収納ボックス内の空気は、箱本体の入口から箱本体内を通って箱本体の出口から出て、空気清浄機本体の吸込口の一部に吸引される。このとき、箱本体の出口には、塵埃捕集機構としてのプレフィルタが、取り付けられているので、清掃部材収納ボックス内の大きな塵埃は、プレフィルタにより、確実に除去される。したがって、簡単な構成で、大きな塵埃を予め捕集できる。
【００１６】
この発明の空気清浄機ユニットでは、
吸込口から吸い込んだ空気をフィルタを介して吹出口から吹き出す空気清浄機本体と、
清掃部材を内部空間に収納可能にする清掃部材収納ボックスと
を備え、
上記清掃部材収納ボックスは、上記空気清浄機本体に、取り付けられて、上記清掃部材収納ボックスの上記内部空間と、上記空気清浄機本体の上記吸込口の一部とは、連通し、
上記清掃部材収納ボックスの上記内部空間には、取り出し可能なダストボックスが取り付けられ、このダストボックスは、上記清掃部材から離脱した塵埃を捕集する塵埃捕集機構を有し、
上記ダストボックスは、
上記清掃部材収納ボックスの上記内部空間に連通する入口と、この入口よりも上記空気清浄機本体の上記吸込口の一部側に位置する出口とを有する箱本体を備え、
上記箱本体の底部には、上記出口よりも底面側に位置する塵埃溜まり部が設けられ、
上記塵埃捕集機構は、上記塵埃溜まり部を含む。
【００１７】
この発明の空気清浄機ユニットによれば、上記清掃部材収納ボックスは、上記空気清浄機本体に、取り付けられて、上記清掃部材収納ボックスの上記内部空間と、上記空気清浄機本体の上記吸込口の一部とは、連通している。これにより、空気清浄機本体に清掃部材収納ボックスを取り付けた状態で、空気清浄機本体は、その吸込口の一部から、清掃部材収納ボックスの内部空間の塵埃を吸引すると同時に、その吸引口の他部から、室内の空気を吸引することができる。このように、空気清浄機本体に清掃部材収納ボックスを取り付けても、空気清浄機本体の室内の空気を清浄するという本来の機能は、損なわれない。言い換えると、清掃部材収納ボックス内の塵埃を吸引させるために、空気清浄機本体による室内の空気の清浄を一旦止めなくてもよく、室内の空気の清浄を行ったまま、清掃部材収納ボックス内の塵埃を吸引できる。
また、上記清掃部材収納ボックスの上記内部空間には、取り出し可能なダストボックスが取り付けられ、このダストボックスは、上記清掃部材から離脱した塵埃を捕集する塵埃捕集機構を有する。これによって、清掃部材収納ボックス内の大きな塵埃を、ダストボックスにより、予め捕集してから、清掃部材収納ボックス内の小さな塵埃（ダニや花粉など）を、空気清浄機本体により、捕集する。そして、ダストボックス内に溜まった塵埃は、ダストボックスを取り出して、廃棄できる。
この結果、清掃部材収納ボックス内の空気中の塵埃を確実に除去できる。また、清掃部材収納ボックス内の大きな塵埃による、空気清浄機本体のフィルタの目詰まりを、防止できる。
したがって、清掃部材収納ボックスを空気清浄機本体に取り付けた状態で、空気清浄機本体の本来の機能は、損なわれることがなく、しかも、清掃部材収納ボックス内の空気中の塵埃を確実に除去でき、空気清浄機本体のフィルタの目詰まりを防止できる。
また、上記ダストボックスの上記箱本体は、入口と出口とを有するので、清掃部材収納ボックス内の空気は、箱本体の入口から箱本体内を通って箱本体の出口から出て、空気清浄機本体の吸込口の一部に吸引される。このとき、箱本体の底部には、出口よりも底面側に位置する塵埃捕集機構としての塵埃溜まり部が設けられているので、清掃部材収納ボックス内の大きな塵埃は、その自重により、塵埃溜まり部に留まって、出口から排出されない。したがって、簡単な構成で、大きな塵埃を予め捕集できる。
【００１８】
また、一実施形態の空気清浄機ユニットでは、
上記清掃部材収納ボックスは、２つの取付部を介して、上記空気清浄機本体に取り付けられ、
上記清掃部材収納ボックスは、上記内部空間に連通すると共に上記空気清浄機本体の上記吸込口の一部に接続される接続口を有し、
この接続口は、上記２つの取付部の間に、位置している。
【００１９】
この実施形態の空気清浄機ユニットによれば、上記清掃部材収納ボックスの上記接続口は、上記２つの取付部の間に、位置しているので、清掃部材収納ボックスの接続口と、空気清浄機本体の吸込口の一部とは、２つの取付部に挟まれる位置で、接続される。これにより、清掃部材収納ボックスの接続口と、空気清浄機本体の吸込口の一部とを、強固に接続できる。
【００２０】
また、一実施形態の空気清浄機ユニットでは、
上記清掃部材収納ボックスは、上記空気清浄機本体に、着脱可能に取り付けられている。
【００２１】
この実施形態の空気清浄機ユニットによれば、上記清掃部材収納ボックスは、上記空気清浄機本体に、着脱可能に取り付けられているので、清掃部材収納ボックスの空気清浄機本体への取り付け状態、または、清掃部材収納ボックスの空気清浄機本体からの取り外し状態の何れの状態でも、清掃部材収納ボックスを使用できる。例えば、清掃部材収納ボックスを、空気清浄機本体から取り外すことで、清掃部材収納ボックスを、所望の場所に持ち運んで使用することができる。一方、清掃部材収納ボックスを、空気清浄機本体に取り付けておくことで、清掃部材収納ボックスを見失うことがない。
【００２２】
また、一実施形態の空気清浄機ユニットでは、
上記清掃部材収納ボックスは、磁石を介して、上記空気清浄機本体に着脱可能に取り付けられている。
【００２３】
この実施形態の空気清浄機ユニットによれば、上記清掃部材収納ボックスは、磁石を介して、上記空気清浄機本体に着脱可能に取り付けられているので、簡単な構成で、清掃部材収納ボックスを空気清浄機本体に着脱できる。
【００２４】
また、一実施形態の空気清浄機ユニットでは、
上記清掃部材収納ボックスは、係合機構を介して、上記空気清浄機本体に着脱可能に取り付けられている。
【００２５】
この実施形態の空気清浄機ユニットによれば、上記清掃部材収納ボックスは、係合機構を介して、上記空気清浄機本体に着脱可能に取り付けられているので、簡単な構成で、清掃部材収納ボックスを空気清浄機本体に着脱できる。
【発明の効果】
【００２６】
この発明の空気清浄機ユニットによれば、上記清掃部材収納ボックスは、上記空気清浄機本体に、取り付けられて、上記清掃部材収納ボックスの上記内部空間と、上記空気清浄機本体の上記吸込口の一部とは、連通しているので、清掃部材収納ボックスを空気清浄機本体に取り付けた状態で、空気清浄機本体の本来の機能は、損なわれることがない。しかも、上記清掃部材収納ボックスの上記内部空間には、取り出し可能なダストボックスが取り付けられ、このダストボックスは、上記清掃部材から離脱した塵埃を捕集する塵埃捕集機構を有するので、清掃部材収納ボックス内の空気中の塵埃を確実に除去でき、空気清浄機本体のフィルタの目詰まりを防止できる。
【図面の簡単な説明】
【００２７】
【図１】本発明の一実施形態の空気清浄機ユニットを示す斜視図である。
【図２】清掃部材収納ボックスを空気清浄機本体から取り外した状態を示す側面図である。
【図３】空気清浄機ユニットの簡略断面図である。
【図４】ダストボックスの分解斜視図である。
【図５】他のダストボックスを示す簡略断面図である。
【図６】係合機構を示す簡略断面図である。
【発明を実施するための形態】
【００２８】
以下、この発明を図示の実施の形態により詳細に説明する。
【００２９】
（第１の実施形態）
図１は、この発明の一実施形態の空気清浄機ユニットを示す斜視図である。図１に示すように、この空気清浄機ユニットは、空気清浄機本体１と、この空気清浄機本体１に着脱可能に取り付けられる清掃部材収納ボックス２とを有する。
【００３０】
上記空気清浄機本体１は、従来の空気清浄機と同様の構成を有しており、ケーシング１０と、このケーシング１０内に配置された（図示しない）ファンおよび（図３参照の）フィルタ１５とを有する。
【００３１】
上記ケーシング１０には、前面下部の吸込口１１ａと、側面の吸込口１１ｂと、上面の吹出口１１ｃとが設けられている。ケーシング１０の上部には、操作部１２が設けられている。
【００３２】
上記空気清浄機本体１は、上記操作部１２の操作により、ファンが回転して、上記吸込口１１ａ，１１ｂから吸い込んだ空気を、上記フィルタ１５を介して、上記吹出口１１ｃから吹き出す。
【００３３】
上記操作部１２では、空気清浄機本体１の運転の開始または停止の操作のみならず、通常運転やターボ運転の切り換えの操作を行う。通常運転とは、通常の運転状態をいい、１つの運転状態に限らず、複数の運転状態、例えば、大中小の３つの運転状態を含んでいてもよい。ターボ運転とは、通常運転の吸込風量よりも吸込風量の多い運転状態をいう。
【００３４】
上記清掃部材収納ボックス２は、この内部空間に、清掃部材の一例としてのモップ３を収納可能にする。清掃部材収納ボックス２は、この内部空間に収納されたモップ３から、モップ３に付着した塵埃を除去する。
【００３５】
図２は、上記清掃部材収納ボックス２を上記空気清浄機本体１から取り外した状態を示す。図２に示すように、清掃部材収納ボックス２のケーシング２０の側面には、上下のそれぞれに、磁石２７が固定されている。上記空気清浄機本体１のケーシング１０の側面には、上記磁石２７に対応する位置に、金属板１３が固定されている。
【００３６】
そして、上記磁石２７を上記金属板１３に着脱することで、上記清掃部材収納ボックス２を上記空気清浄機本体１の側面に着脱する。これにより、簡単な構成で、清掃部材収納ボックス２を空気清浄機本体１に着脱できる。なお、磁石２７と金属板１３は、空気清浄機本体１に清掃部材収納ボックス２を取り付ける１つの取付部を構成する。
【００３７】
上記清掃部材収納ボックス２のケーシング２０の側面には、清掃部材収納ボックス２の内部空間に連通する接続口２８が設けられている。この接続口２８は、上下の磁石２７，２７の間に位置する。
【００３８】
上記空気清浄機本体１のケーシング１０の側面には、上記接続口２８に対応する位置に、吸込口１１ｄが設けられている。この吸込口１１ｄは、上下の金属板１３，１３の間に位置する。なお、この吸込口１１ｄは、例えば、従来の空気清浄機本体の側面の吸込口の一部を施蓋することによって、形成される。
【００３９】
そして、上記清掃部材収納ボックス２が上記空気清浄機本体１に取り付けられた状態で、上記接続口２８と上記吸込口１１ｄとが接続されて、清掃部材収納ボックス２の内部空間と、空気清浄機本体１の吸込口の一部（吸込口１１ｄ）とは、連通する。
【００４０】
このとき、上記清掃部材収納ボックス２の上記接続口２８と、上記空気清浄機本体１の上記吸込口１１ｄとは、上下の磁石２７，２７（上下の取付部）に挟まれる位置で、接続される。これにより、清掃部材収納ボックス２の接続口２８と、空気清浄機本体１の吸込口１１ｄとを、強固に接続できる。
【００４１】
図３は、上記空気清浄機ユニットの簡略断面図を示す。図３に示すように、上記空気清浄機本体１において、上記接続口２８に接続される上記吸込口１１ｄは、最も上流側のフィルタ１５の上流側に、連通される。
【００４２】
上記空気清浄機本体１のケーシング１０内には、プラズマ放電部１６が設けられている。このプラズマ放電部１６によって生成されたイオンは、イオン導管１７を介して、フィルタ１５の上流側に、供給される。このイオンによって、空気清浄機本体１内に吸い込まれた空気やフィルタ１５等を、除菌する。
【００４３】
上記清掃部材収納ボックス２は、このケーシング２０内に、上から下へ順に、清掃部材挿入部２１、塵埃除去部２２およびダストボックス部２３を備えている。清掃部材挿入部２１、塵埃除去部２２およびダストボックス部２３によって、清掃部材収納ボックス２の内部空間を構成する。
【００４４】
上記清掃部材挿入部２１には、上から下へ順に、帯電体２４と除電体２５とが設置されている。清掃部材収納ボックス２内にモップ３を収納する場合、モップ３が、清掃部材挿入部２１を通過して塵埃除去部２２に挿入されるとき、このモップ３に帯電している静電気は、除電体２５によって除電される。この結果、モップ３に吸着された塵や埃が落ち易くなり、塵埃除去部２２において簡単に除去可能になる。
【００４５】
一方、上記清掃部材収納ボックス２からモップ３を取り出す場合、モップ３が、清掃部材挿入部２１を通過して外に取り出されるとき、このモップ３には、帯電体２４によって静電気が帯電される。この結果、モップ３の吸着力が回復して、直ぐに掃除を始めることが可能になる。
【００４６】
ここで、上記モップ３は、柄３０と、この柄３０に斜め先端方向に向かって取り付けられた穂３１とを有する。この柄３０は、ポリプロピレン等の樹脂で形成されている。この穂３１は、ポリプロピレン等の帯電性を有する素材の網状繊維で形成されている。穂３１には、上記帯電体２４によって、静電気が帯電される。穂３１の網状繊維同士の摩擦によっても、穂３１を帯電させることができる。一方、上記除電体２５によって、穂３１に帯電している静電気が除電される。
【００４７】
上記塵埃除去部２２には、その内壁から略垂直方向に中央部に向かって延在する複数の櫛材２６が設けられている。塵埃除去部２２内にモップ３が挿入されると、モップ３の穂３１の部分が櫛材２６で梳かれて穂３１の繊維に付着している塵や埃が掻き取られる。なお、塵埃除去部２２に櫛材２６を設けなくてもよく、塵埃除去部２２の内壁を、除電性を有する摩擦抵抗の小さな材質で形成するようにしてもよい。
【００４８】
上記ダストボックス部２３には、ダストボックス４０が収納されており、このダストボックス４０内に、モップ３の穂３１から掻き取られた塵や埃が落下して集められる。
【００４９】
図３と図４に示すように、上記ダストボックス４０は、空気清浄機本体１の前方側へ、清掃部材収納ボックス２のケーシング２０の内部空間から取り出し可能になっている。
【００５０】
上記ダストボックス４０は、箱本体４２と、この箱本体４２に取り付けられたプレフィルタ４１とを有する。
【００５１】
上記箱本体４２は、清掃部材収納ボックス２のケーシング２０の内部空間に連通する入口４２ａと、この入口４２ａよりも空気清浄機本体１の吸込口１１ｄ側に位置する出口４２ｂとを有する。入口４２ａは、上記塵埃除去部２２側に開口している。出口４２ｂは、上記接続口２８側に開口している。
【００５２】
上記プレフィルタ４１は、上記箱本体４２の上記出口４２ｂに取り付けられている。プレフィルタ４１は、箱本体４２の差込部４２ｃに、取り外し可能に差し込まれている。プレフィルタ４１は、箱本体４２に固定するようにしてもよい。
【００５３】
上記プレフィルタ４１の網目の大きさは、例えば、上記空気清浄機本体１の上記フィルタ１５の網目の大きさと同じかそれよりも大きく、このプレフィルタ４１により、フィルタ１５の網目の大きさよりも大きな塵埃を捕集できる。なお、このプレフィルタ４１は、モップ３から離脱した塵埃を捕集する塵埃捕集機構の一例である。
【００５４】
上記構成の空気清浄機ユニットの作用について説明する。
【００５５】
図３と図４に示すように、棚やソファー等の家具や床などの埃を、モップ３によって拭き取った後、このモップ３を清掃部材収納ボックス２に収納していく。すると、モップ３に付着している塵埃は、清掃部材収納ボックス２によって、除去される。
【００５６】
このとき、上記空気清浄機本体１は、通常運転またはターボ運転を行っているとすると、空気清浄機本体１は、室内の空気を清浄すると同時に、モップ３に付着している塵埃や清掃部材収納ボックス２内の空気中の埃を除去する。図３中、白抜きの矢印は、空気の流れを示す。
【００５７】
つまり、上記空気清浄機本体１では、室内の空気を、ファンの吸引力によって、吸込口１１ａ，１１ｂから吸い込んで、この空気中の塵埃を、フィルタ１５によって除去すると共に、この空気を、プラズマ放電部１６からのイオンによって除菌して、吹出口１１ｃから排出する。
【００５８】
同時に、上記清掃部材収納ボックス２内の空気を、ファンによって、清掃部材収納ボックス２側の吸込口１１ｄから、フィルタ１５の上流側に引き込む。こうして、清掃部材収納ボックス２からの空気中の埃を、フィルタ１５によって除去する。また、この空気を、プラズマ放電部１６からのイオンによって除菌して、吹出口１１ｃから排出する。
【００５９】
上記清掃部材収納ボックス２内の空気の流れは、清掃部材挿入部２１内の帯電体２４および除電体２５の外側と、塵埃除去部２２内のモップ３の穂３１の外側と、ダストボックス部２３内のダストボックス４０内とを、順に通過する。
【００６０】
上記ダストボックス４０内では、空気は、箱本体４２の入口４２ａから箱本体４２内を通って箱本体４２の出口４２ｂから出る。このとき、箱本体４２の出口４２ｂには、プレフィルタ４１が、取り付けられているので、清掃部材収納ボックス２内の大きな塵埃は、予め、プレフィルタ４１により除去される。ダストボックス４０内に溜まった塵埃は、ダストボックス４０をケーシング２０から取り出して、廃棄できる。
【００６１】
上記構成の空気清浄機ユニットによれば、上記清掃部材収納ボックス２は、上記空気清浄機本体１に、取り付けられて、上記清掃部材収納ボックス２の上記内部空間と、上記空気清浄機本体１の上記吸込口の一部（吸込口１１ｄ）とは、連通している。これにより、空気清浄機本体１に清掃部材収納ボックス２を取り付けた状態で、空気清浄機本体１は、その吸込口の一部（吸込口１１ｄ）から、清掃部材収納ボックス２の内部空間の塵埃を吸引すると同時に、その吸引口の他部（吸込口１１ａ，１１ｂ）から、室内の空気を吸引することができる。このように、空気清浄機本体１に清掃部材収納ボックス２を取り付けても、空気清浄機本体１の室内の空気を清浄するという本来の機能は、損なわれない。言い換えると、清掃部材収納ボックス２内の塵埃を吸引させるために、空気清浄機本体１による室内の空気の清浄を一旦止めなくてもよく、室内の空気の清浄を行ったまま、清掃部材収納ボックス２内の塵埃を吸引できる。
【００６２】
また、上記清掃部材収納ボックス２の上記内部空間には、取り出し可能なダストボックス４０が取り付けられ、このダストボックス４０は、モップ３から離脱した塵埃を捕集するプレフィルタ４１（塵埃捕集機構）を有する。これによって、清掃部材収納ボックス２内の大きな塵埃を、ダストボックス４０により、予め捕集してから、清掃部材収納ボックス２内の小さな塵埃（ダニや花粉など）を、空気清浄機本体１により、捕集する。そして、ダストボックス４０内に溜まった塵埃は、ダストボックス４０を取り出して、廃棄できる。
【００６３】
この結果、清掃部材収納ボックス２内の空気中の塵埃を確実に除去できる。また、清掃部材収納ボックス２内の大きな塵埃による、空気清浄機本体１のフィルタ１５の目詰まりを、防止できる。
【００６４】
したがって、清掃部材収納ボックス２を空気清浄機本体１に取り付けた状態で、空気清浄機本体１の本来の機能は、損なわれることがなく、しかも、清掃部材収納ボックス２内の空気中の塵埃を確実に除去でき、空気清浄機本体１のフィルタ１５の目詰まりを防止できる。
【００６５】
また、上記清掃部材収納ボックス２は、上記空気清浄機本体１に、着脱可能に取り付けられているので、清掃部材収納ボックス２の空気清浄機本体１への取り付け状態、または、清掃部材収納ボックス２の空気清浄機本体１からの取り外し状態の何れの状態でも、清掃部材収納ボックス２を使用できる。例えば、清掃部材収納ボックス２を、空気清浄機本体１から取り外すことで、清掃部材収納ボックス２を、所望の場所に持ち運んで使用することができる。一方、清掃部材収納ボックス２を、空気清浄機本体１に取り付けておくことで、清掃部材収納ボックス２を見失うことがない。
【００６６】
（第２の実施形態）
図５は、この発明の第２実施形態の空気清浄機ユニットを示すブロック図である。上記第１の実施形態と相違する点を説明すると、この第２の実施形態では、ダストボックスの構成が相違する。なお、その他の構造は、上記第１の実施形態と同じであるため、その説明を省略する。
【００６７】
図５に示すように、ダストボックス４０Ａは、入口４２ａおよび出口４２ｂを有する箱本体４２Ａを備える。入口４２ａおよび出口４２ｂは、上記第１実施形態で説明しているため、その説明を省略する。
【００６８】
上記箱本体４２Ａの底部には、上記出口４２ｂよりも底面側（下側）に位置する塵埃溜まり部４２ｄが設けられている。つまり、出口４２ｂの下端面を、箱本体４２Ａの底面よりも、上側に設け、出口４２ｂの下端面と、箱本体４２Ａの底面との間に、塵埃溜まり部４２ｄを形成する。
【００６９】
これにより、清掃部材収納ボックス２内の空気が、箱本体４２Ａの入口４２ａから箱本体４２Ａ内を通って箱本体４２Ａの出口４２ｂから出るとき、清掃部材収納ボックス２内の大きな塵埃は、その自重により、塵埃溜まり部４２ｄに留まって、出口４２ｂから排出されない。
【００７０】
上記塵埃溜まり部４２ｄは、例えば、上記空気清浄機本体１のフィルタ１５の網目の大きさよりも大きな塵埃を捕集するように、設定される。この塵埃溜まり部４２ｄは、モップ３から離脱した塵埃を捕集する塵埃捕集機構の一例である。
【００７１】
なお、この発明は上述の実施形態に限定されない。例えば、上記第１、上記第２の実施形態のそれぞれの特徴点を様々に組み合わせてもよい。また、清掃部材として、モップ以外に、ハタキなどであってもよい。
【００７２】
上記第１の実施形態において、清掃部材収納ボックスを、磁石を介して、空気清浄機本体に着脱可能に取り付けていたが、図６に示すように、清掃部材収納ボックス２を、係合機構６０を介して、空気清浄機本体１に着脱可能に取り付けるようにしてもよい。なお、係合機構６０は、空気清浄機本体１に清掃部材収納ボックス２を取り付ける１つの取付部を構成する。
【００７３】
上記係合機構６０としては、互いに係合可能な凹部６１および凸部６２を有し、この凹部６１を、空気清浄機本体１のケーシング１０に設け、この凸部６２を、清掃部材収納ボックス２のケーシング２０に設ける。これによって、簡単な構成で、清掃部材収納ボックス２を空気清浄機本体１に着脱できる。
【００７４】
なお、上記凹部６１を、清掃部材収納ボックス２のケーシング２０に設け、上記凸部６２を、空気清浄機本体１のケーシング１０に設けるようにしてもよい。
【００７５】
上記実施形態では、塵埃捕集機構として、プレフィルタまたは塵埃溜まり部を用いたが、これらを併用してもよく、または、その他の構造であってもよい。
【００７６】
上記実施形態では、取付部として、着脱可能な磁石や係合機構を用いたが、空気清浄機本体に清掃部材収納ボックスを固定するような構造であってもよい。
【００７７】
また、清掃部材収納ボックスを空気清浄機本体に取り付けたときや、清掃部材収納ボックスにモップを収納したときに、センサなどによって、空気清浄機本体のターボ運転を開始するようにしてもよい。これによって、モップに付着した塵埃や清掃部材収納ボックス内の塵埃を、迅速に除去できる。
【００７８】
また、上記実施形態では、空気清浄機本体として、プラズマ放電部を設けたが、プラズマ放電部を設けなくてもよい。
【符号の説明】
【００７９】
１  空気清浄機本体
１０  ケーシング
１１ａ  （前面下部の）吸込口
１１ｂ  （側面の）吸込口
１１ｃ  （上面の）吹出口
１１ｄ  （清掃部材収納ボックス側の）吸込口
１２  操作部
１３  金属板（取付部）
１５  フィルタ
１６  プラズマ放電部
１７  イオン導管
２  清掃部材収納ボックス
２０  ケーシング
２１  清掃部材挿入部
２２  塵埃除去部
２３  ダストボックス部
２４  帯電体
２５  除電体
２６  櫛材
２７  磁石（取付部）
２８  接続口
３  モップ（清掃部材）
３０  柄
３１  穂
４０，４０Ａ  ダストボックス
４１  プレフィルタ（塵埃捕集機構）
４２，４２Ａ  箱本体
４２ａ  入口
４２ｂ  出口
４２ｃ  差込部
４２ｄ  塵埃溜まり部（塵埃捕集機構）
６０  係合機構
６１  凹部
６２  凸部
【図１】
0005724901.tif 000002
【図２】
0005724901.tif 000003
【図３】
0005724901.tif 000004
【図４】
0005724901.tif 000005
【図５】
0005724901.tif 000006
【図６】
0005724901.tif 000007